(57)【特許請求の範囲】
【請求項１】
厨房等の床面があるダムウエーターの出入り口装置であって、昇降路の壁に開口した出し入れ口の縁部を形成する三方枠と、この三方枠の上記昇降路内側に設けられて上記出し入れ口を開閉する戸と、上記三方枠の縦枠に設けられて下端が出し入れ口の下縁部よりも上方に配置された開口部と、上記三方枠の縦枠内に設けられて開口部の奥側に配置され、かつ上下に離れて配置された受け台と、常時は上記三方枠の縦枠内の開口部に内蔵状態に収納されて、要時に人為操作によって長手の両端がそれぞれ上記三方枠の両側の縦枠下部に接して配置され、下面が上記出し入れ口の床面に接して配置される止水板とを備え、
上記止水板は、上記三方枠の縦枠の開口部の幅よりも狭い幅に形成され、高さは上記開口部の高さよりも低く形成されて表面側に上下方向に離れて把手が設けられた基板と、柔軟材料からなり上記基板の裏面に装着され幅が上記開口部幅に嵌合する寸法に、高さは上記開口部の高さよりも高く形成されて、幅方向の一側が上記基板の幅方向の一側に一致し、また高さ方向の両端がそれぞれ上記基板の高さ方向の両端から突出して配置された止水材とから構成され、常時は上記三方枠の開口部に嵌合され、上記基板の下端が上記開口部の下端に接し、また上記止水材の上下端は上記開口部の対応した縁部の裏面に配置され、また上記止水材の幅方向の他側の縁部は上記開口部の対応した縁部の裏面に配置され、上記止水材の反基板側の面が上記開口部奥側に設けられた上記受け台に接して配置されて上記三方枠の縦枠に内蔵状態に収納されるものとしたことを特徴とするダムウエーターの出し入れ口装置。
【発明の詳細な説明】
【０００１】
【発明の属する技術分野】
この発明は、昇降路の壁に開口し、昇降路が設置された建物の床面によって下縁部が形成された出し入れ口に装備されるダムウエーターの出し入れ口装置に関する。
【０００２】
【従来の技術】
図９及び図１０は、従来のダムウエーターの出し入れ口装置を示す図で、図９は正面側の斜視図、図１０は図９の縦断側面図である。図において、１はダムウエーターの昇降路、２は昇降路１に開口して設けられた出し入れ口、３は出し入れ口２の床面で、昇降路１が設けられた建物の階床によって形成される。４は出し入れ口２の上縁部及び側縁部を形成する三方枠である。
【０００３】
５は昇降路１が設けられた建物の床面からなる出し入れ口２の下縁部、６は出し入れ口２を開閉する戸で、三方枠４の昇降路１内側に設けられた上下引き戸からなるものである。７は昇降路１を昇降し要時に出し入れ口２に停止するかご、８は床面３の水洗洗浄時に生じる水溜まりである。
【０００４】
上記のような従来のダムウエーターの出し入れ口装置において、かご７が運転されて昇降路１を昇降して所要の出し入れ口２に停止する。そして、戸６が開閉されて出し入れ口２とかご７の相互間に、荷物が出し入れされ再度かご７が運転されて目的の出し入れ口２へ運転するようになっている。
【０００５】
【発明が解決しようとする課題】
上記のような従来のダムウエーターの出し入れ口装置では、厨房等が設けられた階床の出し入れ口２の場合に、床面３が水洗洗浄され勢いよく床面３に放水される。このときに、床面３に水溜まり８が生じるだけでなく、洗浄水が出し入れ口２の下縁部５から戸６下端の隙間を経て昇降路１内に流入することがある。このため、昇降路１内に流入した水によって昇降路１内に設けられたダムウエーター機器が腐食したり、電気機器が故障したりするという問題点があった。
【０００６】
この発明は、かかる問題点を解消するためになされたものであり、出し入れ口の床面の水洗洗浄時に仮設される止水板を装備したダムウエーターの出し入れ口装置を得ることを目的とする。
【０００７】
【課題を解決するための手段】
この発明に係るダムウエーターの出し入れ口装置においては、厨房等の床面があるダムウエーターの出入り口装置であって、昇降路の壁に開口した出し入れ口の縁部を形成する三方枠と、この三方枠の昇降路内側に設けられて出し入れ口を開閉する戸と、三方枠の縦枠に設けられて下端が出し入れ口の下縁部よりも上方に配置された開口部と、三方枠の縦枠内に設けられて開口部の奥側に配置され、かつ上下に離れて配置された受け台と、常時は三方枠の縦枠内の開口部に内蔵状態に収納され、要時に人為操作によって長手の両端がそれぞれ三方枠の両側の縦枠下部に接して配置され、下面が上記出し入れ口の床面に接して配置される止水板とを備え、止水板は、三方枠の縦枠の開口部の幅よりも狭い幅に形成され、高さは開口部の高さよりも低く形成されて表面側に上下方向に離れて把手が設けられた基板と、柔軟材料からなり基板の裏面に装着され幅が開口部幅に嵌合する寸法に、高さは開口部の高さよりも高く形成されて、幅方向の一側が基板の幅方向の一側に一致し、また高さ方向の両端がそれぞれ基板の高さ方向の両端から突出して配置された止水材とから構成され、常時は三方枠の開口部に嵌合され、基板の下端が開口部の下端に接し、また止水材の上下端は開口部の対応した縁部の裏面に配置され、また止水材の幅方向の他側の縁部は開口部の対応した縁部の裏面に配置され、止水材の反基板側の面が開口部奥側に設けられた受け台に接して配置されて三方枠の縦枠に内蔵状態に収納されるものである。
【０００８】
【発明の実施の形態】
参考例１．
図１〜図３は、この発明の参考例１を示す図で、図１は出し入れ口装置の正面側の斜視図であり止水板を縦枠から引き出した状態を示す図、図２は図１の要部を拡大して示し止水板が出し入れ口の床面に配置された状態を示す図、図３は図１の止水板の拡大図である。なお、図１〜図３の他と前述の図９及び図１０と同様にダムウエーターが構成されている。図において、１はダムウエーターの昇降路である。
【０００９】
２は昇降路１に開口した出し入れ口、３は出し入れ口２の床面で、昇降路１が設けられた建物の階床によって形成される。４は出し入れ口２の上縁部及び側縁部を形成する三方枠、５は昇降路１が設けられた建物の床面からなる出し入れ口２の下縁部、６は出し入れ口２を開閉する戸で、三方枠４の昇降路１内側に設けられた上下引き戸からなるものである。９は三方枠４における一側の縦枠１０の出し入れ口２の出し入れ方向に沿う面に設けられた開口部である。
【００１０】
１１は止水板で、三方枠４の縦枠１０内に配置されて開口部９の下部に装着された支持台１２、板材からなり長手の一端が支持台１２にヒンジ１３によって連結され出し入れ口２の下縁部５の上に配置された状態において他端は他側の縦枠１４面に近接した位置に配置される基板１５及びゴム等の柔軟材料からなり基板１５の出し入れ口２の下縁部５との対応面に装着されて長手の両端が基板１５の端面からそれぞれ突出して配置された止水材１６によって構成されている。
【００１１】
上記のように構成されたダムウエーターの出し入れ口装置において、止水板１１が常時は三方枠４の一側の縦枠１０に設けられた開口部９に嵌合されて、縦枠１０に内蔵状態に収納される。また、かご７が運転されて昇降路１を昇降して所要の出し入れ口２に停止する。そして、戸６が開閉されて出し入れ口２とかご７の相互間に、荷物が出し入れされ再度かご７が運転されて目的の出し入れ口２へ運転される。
【００１２】
また、出し入れ口装置が設けられた床面３が厨房等であって、勢いよく放水することによって床面３の水洗洗浄が行われる場合には、洗浄作業に先立って三方枠４の縦枠１０に設けられた開口部９から止水板１１を回動して引出し、出し入れ口２の下縁部５の上に図２に示すように水平姿勢に仮設される。これによって、出し入れ口２の床面３、三方枠４の縦枠１０，１４の下端部が柔軟材料製の止水材１６によって密閉される。
【００１３】
したがって、出し入れ口２の床面３の洗浄水が出し入れ口２の下縁部５を経て昇降路１内に流入することを防ぐことができる。このため、昇降路１内に流入した水によって昇降路１内に設けられたダムウエーター機器が腐食したり、電気機器が故障したり、また昇降路１のピットに水が溜まって衛生上の問題を惹起したりすることを未然に防止することができる。
【００１４】
また、通常時において止水板１１が三方枠４の縦枠１０に内蔵状態に収納されるので、止水板１１の仮設、撤収が容易にできる。このため、簡易な操作によって煩雑な手数を掛けずに、出し入れ口２の床面３の水洗洗浄作業の準備及び後片付けができて作業能率を向上することができる。
【００１５】
実施の形態１．
図４〜図７は、この発明の実施の形態１を示す図で、図４は三方枠の縦枠を出し入れ口間口に対応する方向から見た図、図５は図４の縦断面図、図６は図４の止水板の斜視図、図７は図１の止水板が出し入れ口の床面に配置された状態を示す斜視図である。なお、図４〜図７の他は前述の図９及び図１０と同様にダムウエーターが構成されている。図において、前述の図１〜図３と同符号は相当部分を示す。
【００１６】
１７は三方枠４の一側の縦枠１０の出し入れ口２の出し入れ方向に沿う面に設けられた開口部で、下端が出し入れ口２の床面３、すなわち出し入れ口２の下縁部５よりも上方に配置されている。１８は受け台で、縦枠１０内に設けられて開口部１７の奥側に配置され、かつ上下に離れて配置されている。
【００１７】
１９は止水板、２０は止水板１９を構成する基板で、板材からなり幅が開口部１７幅よりも狭く、高さは開口部１７の高さよりも低く形成されて表面側に上下方向に互いに離れて把手２１が設けられている。２２は止水板１９を構成する止水材で、ゴム等の柔軟材料からなり基板２０の裏面に装着され幅が開口部１７幅に嵌合する寸法に、高さは開口部１７の高さよりも高く形成されて、幅方向の一側が基板２０の幅方向の一側に一致し、また高さ方向の両端がそれぞれ基板２０の高さ方向の両端から突出して配置されている。
【００１８】
上記のように構成されたダムウエーターの出し入れ口装置において、止水板１９が常時は三方枠４の一側の縦枠１０に設けられた開口部１７に嵌合され、基板２０の下端が開口部１７の下端に接し、また止水材２２の上下端は開口部１７の対応した縁部の裏面に配置され、止水材２２の幅方向の他側の縁部は開口部１７の対応した縁部の裏面に配置される。
【００１９】
そして、止水材２２の反基板２０側の面が受け台１８に接して配置されて図４及び図５に示すように止水板１９が三方枠４の一側の縦枠１０に内蔵状態に収納される。また、かご７が運転されて昇降路１を昇降して所要の出し入れ口２に停止する。そして、戸６が開閉されて出し入れ口２とかご７の相互間に、荷物が出し入れされ再度かご７が運転されて目的の出し入れ口２へ運転される。
【００２０】
また、出し入れ口装置が設けられた床面３が厨房等であって、勢いよく放水することによって床面３の水洗洗浄が行われる場合には、洗浄作業に先立って三方枠４の縦枠１０に設けられた開口部１７から止水板１９が作業員によって次に述べるようにして引き出される。すなわち、図４に示す状態において止水板１９を持ち上げ、また止水板１９を図４に示す状態において右側へ移動する。
【００２１】
この状態で、止水材２２の下縁が開口部１７の下縁よりも上方に配置され、止水材２２が幅方向において開口部１７幅に隙間を形成した位置に配置される。そして、止水板１９の下端部を前方に引き出すことによって止水板１９を三方枠４の縦枠１０から取り出される。次いで、止水板１９が出し入れ口２の下縁部５の上に水平姿勢に仮設される。
【００２２】
そして、止水板１９の幅方向が鉛直に配置され、かつ止水材１９の基板２０の幅方向からの突出縁部が下に配置される。これによって、図７に示すように柔軟材料製の止水材２２が出し入れ口２の床面３、三方枠４の縦枠１０，１４の下端部に接して配置されて密閉される。
【００２３】
したがって、詳細な説明を省略するが図４〜図７の実施の形態１においては、図１〜図３の参考例と同様な作用が得られることに加えて、図４〜図７の実施の形態１において止水板１９の仮設時に幅方向が鉛直に配置されるので、水位が比較的に高い場合、すなわち止水板１９幅に対応した水位に対して有効な止水作用を得ることができる。
【００２４】
実施の形態２．
図８は、この発明の実施の形態２を示す図で、図８は止水板の斜視図である。なお、図８の他と前述の図４〜図７と同様にダムウエーターが構成されている。図において、前述の図４〜図７と同符号は相当部分を示す。
【００２５】
２３は止水板で、幅方向の一側が屈曲されて横断面において凹所が形成された基板２４及びゴム等の柔軟材料からなり基板２０の裏面に装着され幅が開口部１７幅に嵌合する寸法に、高さは開口部１７の高さよりも高く形成されて、幅方向の一側が基板２４の凹所に嵌合され、また高さ方向の両端がそれぞれ基板２４の高さ方向の両端から突出して配置された止水板２２によって構成されている。
【００２６】
上記のように構成されたダムウエーターの出し入れ口装置において、止水板２３が常時は三方枠４の一側の縦枠１０に設けられた開口部１７に嵌合され、また洗浄作業に先立って三方枠４の縦枠１０から止水板２３が取り出される。次いで、止水板２３が出し入れ口２の下縁部５の上に前述の図７と同様な水平姿勢に仮設される。したがって、詳細な説明を省略するが図８の実施の形態２においても図４〜７の実施の形態１と同様な作用が得られる。
【００２７】
【発明の効果】
この発明は以上説明したように、厨房等の床面があるダムウエーターの出入り口装置であって、昇降路の壁に開口した出し入れ口の縁部を形成する三方枠と、この三方枠の昇降路内側に設けられて出し入れ口を開閉する戸と、三方枠の縦枠に設けられて下端が出し入れ口の下縁部よりも上方に配置された開口部と、三方枠の縦枠内に設けられて開口部の奥側に配置され、かつ上下に離れて配置された受け台と、常時は三方枠の縦枠内の開口部に内蔵状態に収納され、要時に人為操作によって長手の両端がそれぞれ三方枠の両側の縦枠下部に接して配置され、下面が上記出し入れ口の床面に接して配置される止水板とを備え、止水板は、三方枠の縦枠の開口部の幅よりも狭い幅に形成され、高さは開口部の高さよりも低く形成されて表面側に上下方向に離れて把手が設けられた基板と、柔軟材料からなり基板の裏面に装着され幅が開口部幅に嵌合する寸法に、高さは開口部の高さよりも高く形成されて、幅方向の一側が基板の幅方向の一側に一致し、また高さ方向の両端がそれぞれ基板の高さ方向の両端から突出して配置された止水材とから構成され、常時は三方枠の開口部に嵌合され、基板の下端が開口部の下端に接し、また止水材の上下端は開口部の対応した縁部の裏面に配置され、また止水材の幅方向の他側の縁部は開口部の対応した縁部の裏面に配置され、止水材の反基板側の面が開口部奥側に設けられた受け台に接して配置されて三方枠の縦枠に内蔵状態に収納されるものである。
【００２８】
これによって、出し入れ口装置が設けられた床面が厨房等であって、勢いよく放水することによって床面の水洗洗浄が行われる場合に、洗浄作業に先立って三方枠の縦枠に設けられた開口部から止水板を取り出し、出し入れ口の下縁部の上に水平姿勢に仮設される。これによって、出し入れ口の床面、三方枠の両側の縦枠の下端部が柔軟材料製の止水材によって密閉される。したがって、出し入れ口の床面の洗浄水が出し入れ口の下縁部を経て昇降路内に流入することを防ぐことができる。このため、昇降路内に流入した水によって昇降路内に設けられたダムウエーター機器が腐食したり、電気機器が故障したり、また昇降路のピットに水が溜まって衛生上の問題を惹起したりすることを未然に防止する効果がある。
また、通常時において止水板が三方枠の縦枠の開口部を介して内蔵状態に収納されるので、止水板の仮設、撤収が容易にできる。このため、簡易な操作によって煩雑な手数を掛けずに、出し入れ口床面の水洗洗浄作業の準備及び後片付けができて作業能率を向上する効果がある。
【図面の簡単な説明】
【図１】  この発明の参考例１を示す図で、出し入れ口装置の正面側の斜視図であり止水板を縦枠から引き出した状態を示す図。
【図２】  図１の要部を拡大して示し止水板が出し入れ口の床面に配置された状態を示す図。
【図３】  図１の止水板の拡大図。
【図４】  この発明の実施の形態１を示す図で、三方枠の縦枠を出し入れ口間口に対応する方向から見た図。
【図５】  図４の縦断面図。
【図６】  図４の止水板の斜視図。
【図７】  図１の止水板を出し入れ口床面に配置した状態を示す斜視図。
【図８】  この発明の実施の形態２を示す止水板の斜視図。
【図９】  従来のダムウエーターの出し入れ口装置を示す図で、正面側の斜視図。
【図１０】  図９の縦断側面図。
【符号の説明】
１  昇降路、２  出し入れ口、４  三方枠、５  下縁部、６  戸、９  開口部、１０  縦枠、１１  止水板、１２  支持台、１３  ヒンジ、１５  基板、１６  止水材、１７  開口部、１８  受け台、１９  止水板、２０  基板、２２  止水材。
【図１】
0003970683.tif 000002
【図２】
0003970683.tif 000003
【図３】
0003970683.tif 000004
【図４】
0003970683.tif 000005
【図５】
0003970683.tif 000006
【図６】
0003970683.tif 000007
【図７】
0003970683.tif 000008
【図８】
0003970683.tif 000009
【図９】
0003970683.tif 000010
【図１０】
0003970683.tif 000011